(57)【要約】【課題】利便性の高いＲＦＩＤリーダライタ装置を提供する。【解決手段】データ受信の場合（ＳＢ３）、対象となるＲＦＩＤリーダライタ装置１又は他のＲＦＩＤリーダライタ２１が無線通信範囲内に入ったら（ＳＢ４）、通信対象から送信されたＷｒｉｔｅデータを受信して、接続されたパソコン１１のモニタに表示するとともにハードディスクに記憶等する（ＳＢ５）。一方、データセットの場合（ＳＢ３）、Ｒｅａｄデータを入力する等してＲｅａｄデータをセットし（ＳＢ６）、通信対象となるＲＦＩＤリーダライタ装置１又は他のＲＦＩＤリーダライタ２１が無線通信範囲内に入った際には（ＳＢ７）、通信対象から送信されたＲｅａｄｅコマンドを受信して（ＳＢ８）、このＲｅａｄｅコマンドに従ってＲｅａｄデータを送信する（ＳＢ９）。【選択図】図３
2008197754.tif 000002
【特許請求の範囲】
【請求項１】
ＲＦＩＤタグと無線通信でデータを遣り取りするＲＦＩＤリーダライタ装置において、
他のＲＦＩＤリーダライタからのデータを受信した際に、当該データに従ってＲＦＩＤタグと同様の動作を行うタグモードを備えたことを特徴とするＲＦＩＤリーダライタ装置。
【請求項２】
他のＲＦＩＤリーダライタから送信されたデータを受信するとともに、前記他のＲＦＩＤリーダライタに対してデータを送信して、当該他のＲＦＩＤリーダライタと交信する交信モードを備えたことを特徴とする請求項１記載のＲＦＩＤリーダライタ装置。
【請求項３】
ＲＦＩＤタグと無線通信でデータを遣り取りするＲＦＩＤリーダライタ装置において、
他のＲＦＩＤリーダライタから送信されたデータを受信するとともに、前記他のＲＦＩＤリーダライタに対してデータを送信して、当該他のＲＦＩＤリーダライタと交信する交信モードを備えたことを特徴とするＲＦＩＤリーダライタ装置。
【発明の詳細な説明】
【技術分野】
【０００１】
本発明は、ＲＦＩＤタグとの間でデータを遣り取りするＲＦＩＤリーダライタ装置に関する。
【背景技術】
【０００２】
従来、図５に示すように、ＲＦＩＤタグカード８０１に内蔵されたＲＦＩＤタグとデータを遣り取りする際には、ＲＦＩＤリーダライタ８０２が使用されていた。
【０００３】
このＲＦＩＤリーダライタ８０２は、前記ＲＦＩＤタグカード８０１内の前記ＲＦＩＤタグとの間で電波を用いた通信を行うことによって、前記ＲＦＩＤタグに記憶されたデータを読み出せるように構成されている。また、前記ＲＦＩＤタグに対して書き込み用のデータを送信することによって、前記ＲＦＩＤタグにデータを書き込んだり、前記ＲＦＩＤタグに記憶されたデータを書き換えたりできるように構成されている。
【発明の開示】
【発明が解決しようとする課題】
【０００４】
しかしながら、このような従来のＲＦＩＤリーダライタ８０２にあっては、通信対象がＲＦＩＤタグに限られていた。
【０００５】
このため、他の用途に使用することができず、不便であった。
【０００６】
本発明は、このような従来の課題に鑑みてなされたものであり、利便性の高いＲＦＩＤリーダライタ装置を提供することを目的とするものである。
【課題を解決するための手段】
【０００７】
前記課題を解決するために本発明の請求項１記載のＲＦＩＤリーダライタ装置にあっては、ＲＦＩＤタグと無線通信でデータを遣り取りするＲＦＩＤリーダライタ装置において、他のＲＦＩＤリーダライタからのデータを受信した際に、当該データに従ってＲＦＩＤタグと同様の動作を行うタグモードを備えている。
【０００８】
すなわち、このＲＦＩＤリーダライタ装置は、ＲＦＩＤタグと無線通信でデータを遣り取りする通常モードの他に、他のＲＦＩＤリーダライタからのデータを受信した際に、当該データに従ってＲＦＩＤタグと同様の動作を行うタグモードを備えている。
【０００９】
このため、当該ＲＦＩＤリーダライタ装置を、ＲＦＩＤタグに成り済まして無線通信を行うことができる。
【００１０】
また、請求項２のＲＦＩＤリーダライタ装置においては、他のＲＦＩＤリーダライタから送信されたデータを受信するとともに、前記他のＲＦＩＤリーダライタに対してデータを送信して、当該他のＲＦＩＤリーダライタと交信する交信モードを備えている。
【００１１】
そして、本発明の請求項３記載のＲＦＩＤリーダライタ装置では、ＲＦＩＤタグと無線通信でデータを遣り取りするＲＦＩＤリーダライタ装置において、他のＲＦＩＤリーダライタから送信されたデータを受信するとともに、前記他のＲＦＩＤリーダライタに対してデータを送信して、当該他のＲＦＩＤリーダライタと交信する交信モードを備えている。
【００１２】
すなわち、前記請求項２及び請求項３のＲＦＩＤリーダライタ装置は、他のＲＦＩＤリーダライタからデータが送信された際に、これを受信するとともに、前記他のＲＦＩＤリーダライタに対してデータを送信することによって、当該他のＲＦＩＤリーダライタと交信することができる。
【００１３】
これにより、他のＲＦＩＤリーダライタと対で使用することによって、ＲＦＩＤデータの通信規格を利用した無線通信が可能となる。
【発明の効果】
【００１４】
以上説明したように本発明の請求項１のＲＦＩＤリーダライタ装置にあっては、他のＲＦＩＤリーダライタからのデータを受信した際に、当該データに従って動作することで、ＲＦＩＤタグに成り済まして前記他のＲＦＩＤリーダライタと無線通信を行うことができる。
【００１５】
このように、前記ＲＦＩＤタグとデータの遣り取りを行う通常動作に加えて、前記他のＲＦＩＤリーダライタと通信を行うことができるため、他のＲＦＩＤリーダライタとの電波インターフェイスの確認など、測定器や評価機としても有効利用することができる。
【００１６】
したがって、通信対象がＲＦＩＤタグに限られてしまう従来のＲＦＩＤリーダライタと比較して、他の用途に使用することができ、利便性が向上する。
【００１７】
また、請求項２及び請求項３記載のＲＦＩＤリーダライタ装置においては、他のＲＦＩＤリーダライタを使用する、又は当該ＲＦＩＤリーダライタ装置を一組使用することによって、ＲＦＩＤデータの通信規格を利用した無線通信を行うことができる。
【００１８】
これにより、非接触でのデータ通信が可能となるとともに、他のＲＦＩＤリーダライタと通信してデータの遣り取りを行うことができる。
【００１９】
したがって、通信対象がＲＦＩＤタグに限られてしまう従来のＲＦＩＤリーダライタと比較して、他のＲＦＩＤリーダライタと無線通信する等、他の用途に使用することができ、利便性が向上する。
【００２０】
このとき、請求項２のＲＦＩＤリーダライタ装置では、前記測定器や前記評価機などにも使用することができ、利便性のさらに向上を図ることができる。
【発明を実施するための最良の形態】
【００２１】
以下、本発明の一実施の形態を図面に従って説明する。図１は、本実施の形態にかかるＲＦＩＤリーダライタ装置１の使用状態を示す図であり、該ＲＦＩＤリーダライタ装置１は、ＲＦＩＤタグカード２に内蔵されたＲＦＩＤタグ３とＩＳＯ規格の無線通信でデータを遣り取りする装置である。
【００２２】
ここで、ＲＦＩＤとは、Ｒａｄｉｏ  Ｆｒｅｑｕｅｎｃｙ  Ｉｄｅｎｔｉｆｉｃａｔｉｏｎの略語である。
【００２３】
すなわち、前記ＲＦＩＤタグカード２には、ＩＣチップからなる前記ＲＦＩＤタグ３が内蔵されており、該ＲＦＩＤタグ３は、電波を用いることによってデータを非接触で読み書きできるように構成されている。
【００２４】
また、前記ＲＦＩＤリーダライタ装置１は、コマンドを電波に乗せて内蔵アンテナから前記ＲＦＩＤタグ３に送信するとともに、当該コマンドに応答して前記ＲＦＩＤタグ３から送信されたＲＦＩＤデータを受信するように構成されている。
【００２５】
これにより、前記ＲＦＩＤリーダライタ装置１から読み出し用のコマンドを電波に乗せて送信することで、前記ＲＦＩＤタグ３のメモリに記憶された所定のデータを読み出したり、前記ＲＦＩＤリーダライタ装置１から書き込み用のコマンド及び書込データを電波に乗せて送信することで、前記ＲＦＩＤタグ３のメモリに前記書込データを記憶したり、メモリ内のデータを書き換えたりできるように構成されており、前記ＲＦＩＤタグカード２に、情報を読み書きする通常モード５を実現できるように構成されている。
【００２６】
前記ＲＦＩＤリーダライタ装置１の主要部のハードウエア構成は、通常のＲＦＩＤリーダライタとほぼ同様に形成されており、当該ＲＦＩＤリーダライタ装置１には、パソコン（ＰＣ）１１と接続する為のコネクタ等が設けられている。これにより、前記ＲＦＩＤリーダライタ装置１は前記パソコン１１の操作に従って動作するように構成されており、例えば前記パソコン１１からのデータを当該ＲＦＩＤリーダライタ装置１から送信したり、該ＲＦＩＤリーダライタ装置１で受信したデータを前記パソコン１１で読み出してモニタに表示するとともに記憶装置に記憶することもできる。
【００２７】
具体的には、当該ＲＦＩＤリーダライタ装置１は、他のＲＦＩＤリーダライタ装置１から送信されたデータを受信するとともに、前記他のＲＦＩＤリーダライタ装置１に対してデータを送信して、当該他のＲＦＩＤリーダライタ装置１と交信する交信モード２５を実現できるように構成されており、このようにＲＦＩＤリーダライタ装置１，１を一組使用したり、他のＲＦＩＤリーダライタ２１を使用することによって、前記両ＲＦＩＤリーダライタ装置１，１間、又は前記他のＲＦＩＤリーダライタ２１との間において、無線によるデータ通信を行えるように構成されている。
【００２８】
また、前記ＲＦＩＤリーダライタ装置１は、他のＲＦＩＤリーダライタ２１からのデータを受信した際に、当該データに従ってＲＦＩＤタグと同様の動作を行うタグモード３１を実現できるように構成されている。
【００２９】
具体的には、前記他のＲＦＩＤリーダライタ２１から読み出し用のコマンドが電波によって送られてきた際には、これを受信するとともに、この受信したデータが示すコマンドに従って内蔵のメモリ４１に記憶された所定のデータを抽出し要求した前記他のＲＦＩＤリーダライタ２１に送信したり、該他のＲＦＩＤリーダライタ２１から書き込み用のコマンド及び書込データが電波によって送られてきた際には、これを受信するとともに、このデータが示すコマンドに従って受信した前記書込データを内蔵のメモリ４１に記憶したり、あるいはメモリ４１内容を書き換えたりできるように構成されている。
【００３０】
そして、前記ＲＦＩＤリーダライタ装置１は、ＣＰＵ（ｃｅｎｔｒａｌ  ｐｒｏｃｅｓｓｉｎｇ  ｕｎｉｔ）を中心に構成されており、該ＣＰＵは、ＲＯＭに記憶されたプログラムに従って動作するとともに、処理過程でのデータをＲＡＭに記憶するように構成されている。前記ＲＯＭには、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）で定められたＲＦＩＤデータとして使用する規格データが記憶されており、当該ＲＦＩＤリーダライタ装置１は、受信した電波を復調して符号化するとともに、この符号化データと前記ＲＯＭに記憶された前記規格データとを比較することで、適合した規格データを受信データとして採用するように構成されている。
【００３１】
以上の構成に係る本実施の形態の動作を、前記ＣＰＵが実行する図２から図４のフローチャートに従って説明する。
【００３２】
（通常モード）
【００３３】
すなわち、図２に示したように、セットアップメニューにおいて（Ｓ１）、通常モード５である「モード１」が選択された際には（Ｓ２）、対象となるＲＦＩＤタグカード２内蔵のＲＦＩＤタグ３からデータを読み取るＲｅａｄ操作か、あるいは前記ＲＦＩＤタグ３に対してデータを書き込むＷｒｉｔｅ操作かを判断し（Ｓ３）、Ｒｅａｄ操作の場合には、通信対象となるＲＦＩＤタグ３内蔵の前記ＲＦＩＤタグカード２が無線通信範囲内に入ったことを検出するまで待機する（Ｓ４）。
【００３４】
通信対象となるＲＦＩＤタグ３内蔵の前記ＲＦＩＤタグカード２が無線通信範囲内に入ったことを検出した際には、前記ＲＦＩＤタグ３に対して読み出し用のコマンドを送信すると、該ＲＦＩＤタグ３は、内蔵のメモリから読み出したデータを送信するので、このデータを受信して読み込む（Ｓ５）。そして、前記ＲＦＩＤタグ３から読み出したデータを、当該ＲＦＩＤリーダライタ装置１に設けられた図外のモニタに表示した後（Ｓ６）、前記ステップＳ３へ移行する。
【００３５】
一方、前記ステップＳ３において、Ｗｒｉｔｅ操作の場合、当該ＲＦＩＤリーダライタ装置１に設けられた図外の入力部から書込データを入力し（Ｓ７）、書込データが入力された際には、通信対象となるＲＦＩＤタグ３内蔵の前記ＲＦＩＤタグカード２が無線通信範囲内に入ったことを検出するまで待機する（Ｓ８）。
【００３６】
通信対象となるＲＦＩＤタグ３内蔵の前記ＲＦＩＤタグカード２が無線通信範囲内に入った際には、前記ＲＦＩＤタグ３に対して書き込み用のコマンドと共に前記書込データを送信して書込処理を行う（Ｓ９）。すると、該ＲＦＩＤタグ３は、受信した書込データを前記コマンドに従ってメモリに書き込むとともに、その書込データを返信するので、この返信されたデータと送信した前記書込データとを比較する（Ｓ１０）。
【００３７】
その結果、返信されたデータと送信した前記書込データとが一致する場合には、前記ステップＳ３へ戻る一方、返信されたデータと送信した前記書込データとが一致しない場合には、前記モニタに「エラー」を表示して前記ステップＳ３へ移行する。
【００３８】
これにより、前記ＲＦＩＤタグ３と無線通信でデータを遣り取りする通常モード５を実現することができ、通常のＲＦＩＤリーダライタと同等の使用形態を形成することができる。
【００３９】
（交信モード）
【００４０】
また、図３に示すように、前述と同様のセットアップメニューにおいて（ＳＢ１）、交信モード２５である「モード２」が選択された際には（ＳＢ２）、対象となるＲＦＩＤリーダライタ装置１又は他のＲＦＩＤリーダライタ２１からのデータを受信するデータ受信か、あるいは前記ＲＦＩＤリーダライタ装置１又は他のＲＦＩＤリーダライタ２１に対してデータを送信するデータセットかを判断する（ＳＢ３）。
【００４１】
このとき、データ受信の場合には、対象となるＲＦＩＤリーダライタ装置１又は他のＲＦＩＤリーダライタ２１が無線通信範囲内に入ったことを検出するまで待機し（ＳＢ４）、対象となるＲＦＩＤリーダライタ装置１又は他のＲＦＩＤリーダライタ２１が無線通信範囲内に入ったことを検出した際には、このＲＦＩＤリーダライタ装置１又は他のＲＦＩＤリーダライタ２１から送信されたＷｒｉｔｅデータを受信して、例えば接続されたパソコン１１のモニタに表示するとともにハードディスク等の記憶装置に記憶して（ＳＢ５）、前記ステップＳＢ３へ移行する。
【００４２】
一方、前記ステップＳＢ３において、前記ＲＦＩＤリーダライタ装置１又は他のＲＦＩＤリーダライタ２１に対してデータを送信するデータセットの場合には、当該ＲＦＩＤリーダライタ装置１に接続されたパソコン１１や図外の入力部からＲｅａｄデータを入力する等してＲｅａｄデータをセットし（ＳＢ６）、このＲｅａｄデータがセットされた際には、通信対象となる前記ＲＦＩＤリーダライタ装置１又は他のＲＦＩＤリーダライタ２１が当該ＲＦＩＤリーダライタ装置１の無線通信範囲内に入ったことを検出するまで待機する（ＳＢ７）。
【００４３】
通信対象となる前記ＲＦＩＤリーダライタ装置１又は他のＲＦＩＤリーダライタ２１が無線通信範囲内に入ったことを検出した際には、通信対象である前記ＲＦＩＤリーダライタ装置１又は他のＲＦＩＤリーダライタ２１から送信されたＲｅａｄｅコマンドを受信し（ＳＢ８）、このＲｅａｄｅコマンドに従って前記パソコン１１や当該ＲＦＩＤリーダライタ装置１のメモリに記憶されたデータをＲｅａｄデータとして送信要求した前記ＲＦＩＤリーダライタ装置１又は他のＲＦＩＤリーダライタ２１に対して送信して（ＳＢ９）、前記ステップＳＢ３へ移行する。
【００４４】
このように、対を成すＲＦＩＤリーダライタ装置１，１又は他のＲＦＩＤリーダライタ２１を使用することによって、ＲＦＩＤデータの通信規格を利用した無線通信が可能となり、無線による交信を行う交信モード２５を実現することができる。
【００４５】
これにより、非接触でのデータ通信が可能となるとともに、対を成す前記ＲＦＩＤリーダライタ装置１又は他のＲＦＩＤリーダライタ２１と通信してデータの遣り取りを行うことができる。
【００４６】
したがって、通信対象がＲＦＩＤタグに限られてしまう従来のＲＦＩＤリーダライタと比較して、対を成す前記ＲＦＩＤリーダライタ装置１や他のＲＦＩＤリーダライタ２１と無線通信する等、他の用途に使用することができ、利便性が向上する。
【００４７】
（タグモード）
【００４８】
そして、図４に示すように、前述と同様のセットアップメニューにおいて（ＳＣ１）、タグモード３１である「モード３」が選択された際には（ＳＣ２）、対象となる他のＲＦＩＤリーダライタ２１による無線通信範囲内であることを検出するまで待機し（ＳＣ３）、対象となる他のＲＦＩＤリーダライタ２１の無線通信範囲内であることを検出した場合には、当該他のＲＦＩＤリーダライタ２１からデータ送信されたコマンドを受信する（ＳＣ４）。
【００４９】
このコマンドを受信した際には、当該コマンドがＲｅａｄコマンドであるか又はＷｒｉｔｅコマンドであるかを判断し（ＳＣ５）、Ｒｅａｄコマンドの場合には、このＲｅａｄコマンドに従ってメモリ４１等に記憶されたデータをＲｅａｄデータとして要求した他のＲＦＩＤリーダライタ２１に対して送信して（ＳＣ６）、前記ステップＳＣ３へ移行する。
【００５０】
前記ステップＳＣ５において、Ｗｒｉｔｅコマンドであると判断した際には、前記他のＲＦＩＤリーダライタ２１からＷｒｉｔｅデータを受信するまで待機する（ＳＣ７）。Ｗｒｉｔｅデータを受信した際には、前記Ｗｒｉｔｅコマンドに従って前記Ｗｒｉｔｅデータを図外のモニタに表示して（ＳＣ８）、前記ステップＳＣ３へ移行する。
【００５１】
これにより、他のＲＦＩＤリーダライタ２１からのデータを受信した際に、当該データに従ってＲＦＩＤタグと同様の動作を行うタグモード３１を実現することができる。
【００５２】
このため、当該ＲＦＩＤリーダライタ装置１を、ＲＦＩＤタグに成り済まして無線通信を行うことができる。
【００５３】
このように、前記ＲＦＩＤタグ３とデータの遣り取りを行う前記通常モード５に加えて、前記他のＲＦＩＤリーダライタ２１と通信を行うことができるため、他のＲＦＩＤリーダライタ２１との電波インターフェイスの確認など、測定器や評価機としても有効利用することができる。
【００５４】
したがって、通信対象がＲＦＩＤタグに限られてしまう従来のＲＦＩＤリーダライタと比較して、他の用途に使用することができ、利便性が向上する。
【図面の簡単な説明】
【００５５】
【図１】本発明の一実施の形態を示す説明図である。
【図２】同実施の形態の通常モードの動作を示すフローチャートである。
【図３】同実施の形態の交信モードの動作を示すフローチャートである。
【図４】同実施の形態のタグモードの動作を示すフローチャートである。
【図５】従来のＲＦＩＤリーダライタを示す説明図である。
【符号の説明】
【００５６】
１    ＲＦＩＤリーダライタ装置
３    ＲＦＩＤタグ
５    通常モード
２１    他のＲＦＩＤリーダライタ
２５    交信モード
３１    タグモード
４１    メモリ
【図１】
2008197754.tif 000003
【図２】
2008197754.tif 000004
【図３】
2008197754.tif 000005
【図４】
2008197754.tif 000006
【図５】
2008197754.tif 000007